(57)【要約】【課題】  冷蔵庫の除霜時には、ガラス管ヒータにより、熱せられた空気が上昇するが、保護板が少しでも傾いていると、片側に加熱された空気が流れてしまう。このように、熱せられた空気が偏って上昇してしまう。【解決手段】  本発明は、リード線(4)と、前記リード線(4)を発泡断熱材充填空間から外部に引き出すために設けられた引出し孔(3)と、このリード線(4)に巻装され前記引出し孔(4)をシールするためのシール材(5)とを備える冷蔵庫のリード線引出し部材において、  前記シール材(5)に延長部(5d)を設けて、巻装時の径が異なるように前記リード線(4)に巻装し、径が小さな部分(5a)を前記引出し孔(3)に挿入し、径が大きな部分(5b)により位置規制することを特徴する。【選択図】    図４
2006220334.tif 000002
【特許請求の範囲】
【請求項１】
リード線(4)と、前記リード線(4)を発泡断熱材充填空間から外部に引き出すために設けられた引出し孔(3)と、このリード線(4)に巻装され前記引出し孔(4)をシールするためのシール材(5)とを備える冷蔵庫のリード線引出し部材において、
前記シール材(5)に延長部(5d)を設けて、巻装時の径が異なるように前記リード線(4)に巻装し、径が小さな部分(5a)を前記引出し孔(3)に挿入し、径が大きな部分(5b)により位置規制することを特徴する冷蔵庫のリード線引出し部材。
【請求項２】
リード線(4)と、前記リード線(4)を発泡断熱材充填空間から外部に引き出すために設けられた引出し孔(3)と、このリード線(4)に巻装され前記引出し孔(4)をシールするためのシール材(5)とを備える冷蔵庫のリード線引出し部材において、
前記シール材(5)に延長部(5d)を設けて、巻装時の径が異なるように前記リード線(4)に巻装し、径が大きな部分(5b)を前記発泡断熱材充填空間側に配置し、径が小さな部分(5a)を前記引出し孔(3)に挿入して外側に引き出すことを特徴する冷蔵庫のリード線引出し部材。
【発明の詳細な説明】
【技術分野】
【０００１】
本発明は、冷蔵庫のリード線引出し部材に関する。
【背景技術】
【０００２】
冷蔵庫の筐体を形成する断熱箱体は、外箱と内箱の間に発泡断熱材を充填している。
この発泡断熱材が充填される発泡断熱材充填空間からリード線を引き出す場合は、発泡時に断熱材が漏れ出ないように、リード線にシール材を設けている。このシール材により、リード線引出し孔から発泡断熱材が漏れ出ないようにしている。
【０００３】
図１〜図３を参照しつつ、従来例を説明する。図１は、発泡後の冷蔵庫のリード線の引出し部分の断面図である。図２は、引出し作業前のシール材５が巻き付けられたリード線４の斜視図である。図３は、シール材５のリード線への巻装を説明するための図である。
【０００４】
図１において、１は冷蔵庫の外箱、２は発泡充填された断熱材である。３は外箱１に設けられたリード線引出し孔である。４はリード線である。５はリード線４のシール材であり、リード線引出し孔３に挿入されている。
【０００５】
このシール材５は、図２図３に示すように、リード線４に幅広の軟質ポリウレタンフォームからなるスポンジ状の接着テープを巻き付けている。
【０００６】
なお、このような冷蔵庫の引出しリード線のシール構造については、よく知られている（特許文献１、２参照）。
【特許文献ｌ】実開平２−９６５８８号公報
【特許文献２】特開平１０−２３８９３５号公報
【発明の開示】
【発明が解決しようとする課題】
【０００７】
このように、発泡漏れを防止するためには、リード線４に巻装したシール材５が確実に引出し孔３に位置するように、リード線４を引出し孔３から引き出さなくてはならず、デリケートな作業となってしまう。
【０００８】
本発明は、確実に且つ簡単に、シール材５を引出し孔３の位置に位置する様にした冷蔵庫のリード線引出し部材を提供することを目的とする。
【課題を解決するための手段】
【０００９】
本発明は、リード線(4)と、前記リード線(4)を発泡断熱材充填空間から外部に引き出すために設けられた引出し孔(3)と、前記リード線(4)に巻装され前記引出し孔(4)をシールするためのシール材(5)とを備える冷蔵庫のリード線引出し部材において、
前記シール材(5)に延長部(5d)を設けて、巻装時の径が異なるように前記リード線(4)に巻装し、径が小さな部分(5a)を前記引出し孔(3)に挿入し、径が大きな部分(5b)により位置規制することを特徴とする。
【００１０】
本発明は、リード線(4)と、前記リード線(4)を発泡断熱材充填空間から外部に引き出すために設けられた引出し孔(3)と、このリード線(4)に巻装され前記引出し孔(4)をシールするためのシール材(5)とを備える冷蔵庫のリード線引出し部材において、前記シール材(5)に延長部(5d)を設けて、巻装時の径が異なるように前記リード線(4)に巻装し、径が大きな部分(5b)を前記発泡断熱材充填空間側に配置し、径が小さな部分(5a)を前記引出し孔(3)に挿入して外側に引き出すことを特徴する。
【発明の効果】
【００１１】
本発明によれば、リード線(4)を引出し孔(3)を通して、少々乱暴に引き出しても、径の小さな部分(5a)が引出し孔(3)を通過するが、径の大きな部分(5b)が引出し孔(3)に引っ掛かり引出しは規制される。これにより、少々乱暴に引出し作業を行っても確実に引出し孔(3)にシール材(5)を配置できる。また、発泡時の発泡漏れの発生を抑えられる。
【発明を実施するための最良の形態】
【００１２】
本発明は、リード線４に巻装される平板状の矩形のシール材５ｃに延長部５ｄを設けて、巻装着時に、径の異なるシール材部分５ａ，５ｂを形成し、径の小さい部分５ａを引出し孔３への挿入部とし、径の大きな部分５ｂを位置規制部として、確実にシール材５が巻かれた部分を、引出し孔３の位置に取り付ける。また、径の大きな部分５ｂを発泡断熱材充填空間側に配置して、発泡時の発泡漏れの発生を抑える。
【実施例１】
【００１３】
図４〜図６を参照しつつ、本発明の実施例１を説明する。図４は、発泡後の冷蔵庫のリード線の引出し部分の断面図である。図５は、引出し作業前のシール材５が巻き付けられたリード線４の斜視図である。図６は、シール材５のリード線４への巻装を説明するための図である。
【００１４】
図４において、１は冷蔵庫の外箱、２は発泡充填された断熱材である。３は外箱１に設けられたリード線引出し孔である。４はリード線である。５はリード線４のシール材であり、リード線引出し孔３に挿入されている。
【００１５】
このシール材５は、巻き付け径が小さな径小部５ａと、巻き付け径が大きな径大部５ｂとからなる。この径小部５ａは引出し孔３内に挿入されている。径大部５ｂは、引出し孔３の周辺の外箱内面に当接し、これ以上のリード線４の引出しを規制すると共に、発泡漏れを抑えている。
【００１６】
このシール材５は、図５にも示すように、巻き付け径が小さな径小部５ａと、巻き付け径が大きな径大部５ａとが形成されている。このシール材５も幅広の軟質ポリウレタンフォームからなるスポンジ状の接着テープをリード線４に巻き付けるのであるが、図６に示すように、従来と同様な平板状で矩形の矩形部５ｃだけでなく、平板状の延長部５ｄを備えている。この延長部５ｄをもリード線４に巻き付けることにより、径の差が生じることになる。この接着テープは、巻き付ける内側に接着剤が塗布され巻き付けるだけで、径の異なる円柱状となる。
【００１７】
このような、径の小さな部分５ａの径は、引出し孔３の内径より少しだけ大きくなるように形成され、径の大きな部分５ｂの径は、引出し孔３の内径より充分に大きく形成されている。
【００１８】
このシール材５が巻装されたリード線４を、作業者が冷蔵庫の発泡断熱材充填空間側から外箱１の引出し孔３を貫通して外側に引き出す。径小部５ａの径は引出し孔３の径より少許大きいが、スポンジ状なので変形し、この引出し孔３内に挿入され外側に引き出される。そして、径大部５ｂが引出し孔３の周辺に当接して、これ以上の引出しを規制する。これにより、引出し孔３からのリード線４の引出しが完了する。
【００１９】
この後、発泡断熱材が充填されるが、シール材５により発泡漏れは抑制される。特に径大部５ｂは発泡断熱材充填空間側に位置しているので、発泡時には発泡圧により引出し孔３側に押され、引出し孔３の密閉はさらに確実となる。
【図面の簡単な説明】
【００２０】
【図１】従来の冷蔵庫のリード線引出し部材を説明するための断面図である。
【図２】従来のリード線のシール部を説明するための斜視図である。
【図３】従来のリード線へのシール部の巻き付けを説明するための斜視図である。
【図４】本発明の実施例１でのリード線引出し部材を説明するための断面図である。
【図５】実施例１のリード線のシール部を説明するための斜視図である。
【図６】実施例１のリード線へのシール部の巻き付けを説明するための斜視図である。
【符号の説明】
【００２１】
１      外箱、
２      発泡断熱材、
３      引出し孔、
４      リード線、
５      シール材、
５ａ    シール材の径の小さな部分（径小部）、
５ｂ    シール材の径の大きな部分（径大部）、
５ｃ    巻き付け前のシール材の矩形部、
５ｄ    巻き付け前のシール材の延長部。
【図１】
2006220334.tif 000003
【図２】
2006220334.tif 000004
【図３】
2006220334.tif 000005
【図４】
2006220334.tif 000006
【図５】
2006220334.tif 000007
【図６】
2006220334.tif 000008